(57)【要約】      （修正有）【課題】Ｔ型ダイスを用いた溶融押出装置のアイドリング時または押し出し条件の設定時に垂れ流される溶融樹脂を、ブロッキングや垂れ落ちが発生することなく巻き取り、ペレット状に加工してリサイクルすることを可能とする、溶融樹脂の回収装置および溶融樹脂の回収方法を提供すること。【解決手段】Ｔ型ダイス１直近に、風を発生させて前記溶融樹脂に吹き付けて冷却を可能とする搬送ブロア３を設け、前記Ｔ型ダイス１から０．５〜１．５ｍ離れた位置に、前記溶融樹脂のシートをロール状に巻き取ることを可能とする巻取装置２を設けてなることを特徴とする。【選択図】図１
2012071448.tif 000002
【特許請求の範囲】
【請求項１】
Ｔ型ダイスを用いた溶融押出装置のアイドリング時または押出条件の設定時に垂れ流される溶融樹脂の回収装置であって、前記Ｔ型ダイスの直近に、風を発生させて前記溶融樹脂に吹き付けて冷却を可能とする搬送ブロアを設け、前記Ｔ型ダイスから０．５〜１．５ｍ離れた位置に、前記溶融樹脂のシートをロール状に巻き取ることを可能とする巻取装置を設けてなることを特徴とする溶融樹脂の回収装置。
【請求項２】
前記巻取装置の直近に、前記ロール状に巻き取った溶融樹脂のシートの外面側を冷却可能とする冷却タッチロールを設けてなることを特徴とする請求項１記載の溶融樹脂の回収装置。
【請求項３】
前記巻取装置が、ロール状に巻き取った溶融樹脂が抜き取り可能となるように一方の巻取軸が取り外し可能であることを特徴とする請求項１または２のいずれか記載の溶融樹脂の回収装置。
【請求項４】
Ｔ型ダイスを用いた溶融押出装置のアイドリング時または押出条件の設定時に垂れ流される溶融樹脂の回収方法であって、前記垂れ流される溶融樹脂を風速５〜２０ｍ／ｓの風の吹きつけにより冷却し、０．５〜１．５ｍ離れた位置で１５〜２５ｍ／ｍｉｎの巻き取り速度にて巻き取ってなることを特徴とする溶融樹脂の回収方法。
【発明の詳細な説明】
【技術分野】
【０００１】
本発明は、Ｔ型ダイスを用いた溶融押出装置のアイドリング時または押し出し条件の設定時に垂れ流される溶融樹脂の回収装置および回収方法に関する。
【背景技術】
【０００２】
Ｔ型ダイスを用いた溶融押出装置のアイドリング時または押し出し条件の設定時に垂れ流される溶融樹脂は、そのままでは固まりになってしまい、粉砕して再溶融してペレット状に加工してリサイクルするには粉砕工程の負荷が大きく、困難であった。
【０００３】
そこで、Ｔ型ダイスの近くに巻取装置を設けて、垂れ流される溶融樹脂をシートにして巻き取り、ロール状にして運び出し、その後ロールからシートを巻き出しながら粉砕して再溶融してペレット状に加工するという方法が考えられた。
ところが、Ｔ型ダイスの近くで巻き取ろうとすると、溶融状態であるため、シートの表側と裏側が貼り付く、いわゆるブロッキングが発生してしまう。また、運び出し作業のスペースがとれず、運び出しが困難なものとなる。一方、冷却のために距離を離した位置で巻き取ろうとすると、溶融状態であるため、途中で樹脂が垂れ落ちてしまうという問題点があった。
【先行技術文献】
【特許文献】
【０００４】
【特許文献１】特開平１０−３０９７７５号公報
【特許文献２】特開２００３−３１１８０３号公報
【発明の概要】
【発明が解決しようとする課題】
【０００５】
本発明はこのような問題点を解決するためになされたものであり、その課題とするところは、Ｔ型ダイスを用いた溶融押出装置のアイドリング時または押し出し条件の設定時に垂れ流される溶融樹脂を、ブロッキングや垂れ落ちが発生することなく巻き取り、ペレット状に加工してリサイクルすることを可能とする、溶融樹脂の回収装置および溶融樹脂の回収方法を提供することにある。
【課題を解決するための手段】
【０００６】
本発明は前記課題を解決したものであり、すなわちその請求項１記載の発明は、Ｔ型ダイスを用いた溶融押出装置のアイドリング時または押出条件の設定時に垂れ流される溶融樹脂の回収装置であって、前記Ｔ型ダイスの直近に、風を発生させて前記溶融樹脂に吹き付けて冷却を可能とする搬送ブロアを設け、前記Ｔ型ダイスから０．５〜１．５ｍ離れた位置に、前記溶融樹脂のシートをロール状に巻き取ることを可能とする巻取装置を設けてなることを特徴とする溶融樹脂の回収装置である。
【０００７】
またその請求項２記載の発明は、前記巻取装置の直近に、前記ロール状に巻き取った溶融樹脂のシートの外面側を冷却可能とする冷却タッチロールを設けてなることを特徴とする請求項１記載の溶融樹脂の回収装置である。
【０００８】
またその請求項３記載の発明は、前記巻取装置が、ロール状に巻き取った溶融樹脂が抜き取り可能となるように一方の巻取軸が取り外し可能であることを特徴とする請求項１または２のいずれか記載の溶融樹脂の回収装置である。
【０００９】
またその請求項４記載の発明は、Ｔ型ダイスを用いた溶融押出装置のアイドリング時または押出条件の設定時に垂れ流される溶融樹脂の回収方法であって、前記垂れ流される溶融樹脂を風速５〜２０ｍ／ｓの風の吹きつけにより冷却し、０．５〜１．５ｍ離れた位置で１５〜２５ｍ／ｍｉｎの巻き取り速度にて巻き取ってなることを特徴とする溶融樹脂の回収方法である。
【発明の効果】
【００１０】
本発明はその請求項１記載の回収装置により、搬送ブロアによる風の吹きつけでの冷却を可能としつつ距離をとっても溶融樹脂が垂れ落ちないようにすることを可能とし、離れた位置での巻き取りを可能として巻き取りの取り出しと搬送作業を容易なものとすることができる。これによりその後の巻き出し、粉砕、再溶融、ペレット状への加工、といったリサイクル工程が容易なものとなる。
【００１１】
本発明はその請求項２記載の回収装置により、冷却タッチロールによるロール表面側の冷却によりブロッキングを防止し、かつシート表面が平滑になることで整ったロールの形成が可能となり、その後の搬送、巻き出しといった工程がさらに容易なものとなる。
【００１２】
本発明はその請求項３記載の回収装置により、一方の巻取軸が取り外し可能であることで、ロール状にして巻き取った溶融樹脂を取り外し、搬送することがさらに容易なものとなる。
【００１３】
本発明はその請求項４記載の回収方法により、その限定された風の吹きつけ速度と巻き取り速度により、溶融樹脂をシートとしてロール状に巻き取る上記回収装置による回収を好適な条件にて回収することが可能となる。
【図面の簡単な説明】
【００１４】
【図１】本発明の溶融樹脂の回収装置の一実施例の概要を示す説明図である。
【図２】本発明の溶融樹脂の回収装置の一実施例によりロール状にして巻き取った溶融樹脂を取り外し、搬送する方法を示す説明図である。
【発明を実施するための形態】
【００１５】
以下、本発明を図面に基づき詳細に説明する。図１に本発明の溶融樹脂の回収装置の一実施例の概要を示す。Ｔ型ダイス１から溶融樹脂が押し出され、離れた位置に設けた巻取装置２に向けて搬送ブロア３から調節された風速の風を吹きつけて巻き取る。巻取装置２の下方には適宜冷却タッチロール４を設けても良い。
【００１６】
Ｔ型ダイス１としては、溶融樹脂押出成形装置に用いられるものであれば特に限定するものではないが、特にフィルムやシート製造用のＴ型ダイスが好適である。
【００１７】
巻取装置２としては、１５〜２５ｍ／ｍｉｎの巻き取り速度で巻き取り可能となるような駆動シリンダーが好適である。巻取装置２は、前記Ｔ型ダイス１から０．５〜１．５ｍ離れた位置に設ける。０．５ｍよりも近いと冷却が十分なものとならず、また取り出し、搬送などの作業スペースがとれない。１．５ｍより離れると溶融樹脂の垂れ落ちが発生する。
【００１８】
搬送ブロア３としては、風向きが特定可能なものであり、風速が５〜２０ｍ／ｓ程度に調節可能なものであればその構造は特に限定せず、使用可能である。
【００１９】
適宜設ける冷却タッチロール４としては、シートが巻き取られてロール状となっている外表面に常に接触可能となるように設けられているものであれば良い。さらには、巻取装置２の巻き取り速度に合わせて冷却タッチロール４自体で独立して駆動可能のものが好適である。また、冷却タッチーロ−ル４はそのロールの表面が金属製のものが、巻き取ったシートのブロッキング防止の点から好適に用いられる。
【００２０】
図２に本発明の溶融樹脂の回収装置によりシートをロール状にして巻き取った溶融樹脂を取り外し、搬送する方法を示す。巻取装置２は軸受け５に巻き取り軸８が脱着できる構造が、巻き取るロールの交換が容易になるので好ましい。また、ロール抜き取り向き６の方向は本発明においてＴ型ダイス１と巻取装置２の間隔が０．５〜１．０ｍ離れているので、その方向であれば作業がしやすい。その後台車７などを用いて重量のある巻き取った樹脂ロールを転がして運び出すことが容易に可能となる。巻き取り軸８は、巻き取った樹脂ロールの重量が支えられるものであれば良い。
【実施例１】
【００２１】
図１および図２に示す装置により、Ｔ型ダイスの塗出口の厚み０．１００ｍｍ、幅１０００ｍｍのポリプロピレン樹脂を２３０℃でライン速度２０ｍ／ｍｉｎで押し出した。このとき搬送ブロア３を風速１０ｍ／秒で吹いた。また、巻き取りロールの巻き取り速度を２０ｍ／ｍｉｎで巻き取った。ブロッキングもなく、きれいに巻き取ることが出来た。
【００２２】
＜比較例１＞
搬送ブロア３を風速３ｍ／秒で吹いた以外は実施例１と同様にて巻き取ったが、ブロッキングが発生し、きれいには巻き取れなかった。
【産業上の利用可能性】
【００２３】
本発明は、Ｔ型ダイスからアイドリング時や押し出し条件の設定時に垂れ流される溶融樹脂のリサイクル方法として利用可能である。
【符号の説明】
【００２４】
１…Ｔ型ダイス
２…巻取装置
３…搬送ブロア
４…冷却タッチロール
５…軸受け
６…ロール抜き取り向き
７…台車
８…巻き取り軸
【図１】
2012071448.tif 000003
【図２】
2012071448.tif 000004